(57)【要約】【課題】不正器具を保持すると共に非通電時は異物の混入を防止するシャッター機構を備える遊技機を提供する。【解決手段】遊技機１は、メダル投入口８に向けて下り傾斜してメダルを案内する案内面２２ａを設ける円弧溝状のガイド部２２、及び案内面２２ａで案内されたメダルをメダル投入口８に向けて姿勢変化させるように回転するローラ２４を有するメダル投入装置２０を備える。メダル投入装置２０は、回転軸２９ｂが所定角度に回動可能なロータリーソレノイド２９と、一方の端部が回転軸２９ｂに固定され、他方の端部がメダル投入口８を囲う開口を開閉するシャッター部材２８とを備える。ロータリーソレノイド２９を消磁しているときは、シャッター部材２８が開口を閉じ、ロータリーソレノイド２９を励磁しているときは、シャッター部材２８が開口を開く。【選択図】図３
2008188057.tif 000002
【特許請求の範囲】
【請求項１】
メダル投入口に向けて下り傾斜してメダルを案内する案内面を設ける円弧溝状のガイド部、及びこの案内面で案内されたメダルをメダル投入口に向けて姿勢変化させるように回転するローラを有するメダル投入装置を備える遊技機であって、
前記メダル投入装置に保持され、中心軸が所定角度に回動可能なロータリーソレノイドと、
一方の端部が前記中心軸に固定され、他方の端部が前記メダル投入口を囲う開口を開閉するＬ字状のシャッター部材と、を備え、
前記ロータリーソレノイドを消磁しているときは、前記シャッター部材が前記開口を閉じ、前記ロータリーソレノイドを励磁しているときは、前記シャッター部材が前記開口を開くことを特徴とする遊技機。
【請求項２】
前記メダル投入装置の下方に配置され、投入されたメダルを検知する光電センサを有するメダルセレクタを更に備え、
前記光電センサが所定の波長パターン以外を検出したときは、前記ロータリーソレノイドを消磁して前記シャッター部材が前記開口を閉じることを特徴とする請求項１記載の遊技機。
【発明の詳細な説明】
【技術分野】
【０００１】
本発明は、スロットマシンなどの遊技機に関する。特に、メダルが投入されるメダル投入装置と、投入されたメダルの通過を検出するメダルセレクタと、を備える遊技機の構造に関する。
【背景技術】
【０００２】
一般に、遊技機の一種であるスロットマシンは、遊技媒体となるメダルを投入することにより、遊技が開始される。このスロットマシンには、遊技者がメダルを円滑に投入操作するためのメダル投入装置を備えている。このようなメダル投入装置は、メダルが起立された状態で一枚ずつメダル投入口に投入される。又、メダル投入装置の下方には、投入されたメダルを検知する光電センサを有するメダルセレクタが配置されている。
【０００３】
ところで、近年、正規の方法とは異なる方法によってメダルもどきを投入する、ゴト行為と呼ばれる不正行為が行われることがある。この不正行為は、例えば、線状又は板状の器具をメダル投入口から挿入して、メダルの投入を不正に行っている。いわゆるゴト器具をメダル投入口から挿入し、メダルを検知する光電センサを誤作動させ、実際にメダルの投入を行うことなくメダルを擬似的に投入できる。そして、このような不正行為を防止する機能をスロットマシンに付加することが課題となっている。
【０００４】
このような不正行為に対して、メダル投入口に異物を挿入する不正行為による被害を軽減する遊技機が発明されている（例えば、特許文献１参照）。
【０００５】
特許文献１による遊技機は、メダルセレクタの本体基部の左側面に、貫通孔に挿入される駆動鉄板を有するソレノイドを取り付けている。貯留されているメダルの枚数が４０枚に達すると、ソレノイドへの通電が停止され、駆動鉄板は、貫通孔を通して第１メダル通路に侵入する閉鎖位置に移動する。ソレノイドのケースの後方に、駆動鉄板の位置を検出する駆動鉄板センサを設ける。ＣＰＵは、クレジット記憶部に記憶されたメダル枚数が４０枚に達したことを契機に、駆動鉄板を、開放位置と閉鎖位置との間で２回（複数回）往復移動させる。その２回の全ての回において駆動鉄板センサからＣＰＵに駆動オン信号が入力されない場合には、遊技停止部はＣＰＵに遊技停止信号を送っている。
【０００６】
特許文献１による遊技機は、流下通路にセルロイドやフレキシブル基板などの異物が挿入された場合には、その異物をシャッターによって保持させ証拠隠蔽を防ぐことができる、としている。
【特許文献１】特願２００６−２１２１９５号公報
【発明の開示】
【発明が解決しようとする課題】
【０００７】
近年では、円滑で快適にメダルの投入操作が行えるメダル投入装置がスロットマシンなどの遊技機に組み込まれている。このメダル投入装置は、メダル投入口に向けて下り傾斜してメダルを案内する案内面を備える円弧溝状のガイド部と、この案内面で案内されたメダルをメダル投入口に向けて姿勢変化させるように回転するローラを備えている。このような便利なメダル投入装置は、流下通路にローラが対向しているので、特許文献１で示されたシャッターを配置することは困難である。新たなメダル投入装置にシャッター機構を設けることが求められる。
【０００８】
又、特許文献１による遊技機は、メダル投入口が物理的、及び形状的に常時開口しており、電源投入の有無に係わらず、異物などを挿入することが可能である。セレクタエラー時や、閉店後及び輸送途上など電源が非通電時にメダル投入口を閉鎖するシャッター機構が求められている。そして、以上のことが、本発明の課題といってよい。
【０００９】
本発明は、このような問題に鑑みてなされたものであり、メダルをローラで円滑に投入させるメダル投入装置と、投入されたメダルの通過を検出するメダルセレクタを備える遊技機であって、不正器具を保持すると共に非通電時は異物の混入を防止するシャッター機構を備える遊技機を提供することを目的とする。
【課題を解決するための手段】
【００１０】
本発明者は、上記目的を達成するため、メダル投入装置の開口を電気的に作動するシャッター機構で開閉することにより、これらの課題が解決容易なことを見出し、これに基づいて、以下のような新たなシャッター機構を備える遊技機を発明するに至った。
【００１１】
（１）  メダル投入口に向けて下り傾斜してメダルを案内する案内面を設ける円弧溝状のガイド部、及びこの案内面で案内されたメダルをメダル投入口に向けて姿勢変化させるように回転するローラを有するメダル投入装置を備える遊技機であって、前記メダル投入装置に保持され、中心軸が所定角度に回動可能なロータリーソレノイドと、一方の端部が前記中心軸に固定され、他方の端部が前記メダル投入口を囲う開口を開閉するＬ字状のシャッター部材と、を備え、前記ロータリーソレノイドを消磁しているときは、前記シャッター部材が前記開口を閉じ、前記ロータリーソレノイドを励磁しているときは、前記シャッター部材が前記開口を開くことを特徴とする遊技機。
【００１２】
（１）の発明による遊技機は、電源が非通電時にロータリーソレノイドが消磁されるように制御されるので、前記シャッター部材がメダル投入装置の前記開口を閉じて、異物の混入を防止できる。
【００１３】
（２）  前記メダル投入装置の下方に配置され、投入されたメダルを検知する光電センサを有するメダルセレクタを更に備え、前記光電センサが所定の波長パターン以外を検出したときは、前記ロータリーソレノイドを消磁して前記シャッター部材が前記開口を閉じることを特徴とする（１）記載の遊技機。
【００１４】
（２）の発明による遊技機は、メダルセレクタにメダル以外の異物が挿入されたときは、光電センサが所定の波長パターン以外を検出して、シャッター部材が開口を閉じるように構成したので、その異物をシャッターによって保持させ証拠隠蔽を防ぐことができる。
【発明の効果】
【００１５】
本発明による遊技機は、メダルをローラで円滑に投入させるメダル投入装置と、投入されたメダルの通過を検出するメダルセレクタを備える遊技機であって、不正器具を保持すると共に非通電時は異物の混入を防止するシャッター機構を備える遊技機を提供できる。
【発明を実施するための最良の形態】
【００１６】
以下、図面を参照して本発明を実施するための最良の形態を説明する。
【００１７】
図１は、本発明による遊技機の一実施形態を示す斜視図である。図２は、前記実施形態による遊技機に備わるダル投入装置及びメダルセレクタの斜視外観図である。図３は、前記実施形態による遊技機に備わるダル投入装置の斜視分解組立図である。図４は、前記実施形態による遊技機に備わるダル投入装置の縦断面図であり、シャッター部材が閉じた状態図である。図５は、前記実施形態による遊技機に備わるダル投入装置の縦断面図であり、シャッター部材が開いた状態図である。図６は、前記実施形態による遊技機に備わるメダルセレクタの背面図である。
【００１８】
最初に本発明による構成を説明する。図１において、遊技機１は、スロットマシンを示している。遊技機１は、遊技を実行するための遊技装置（リールユニット）、遊技媒体であるメダルを払い出すメダル払出装置、及びリールユニットでの遊技動作を制御する制御基板（コントローラ）などが収容された本体２を備えている。そして、本体２にはヒンジ機構を介して開閉可能にフロントドア３が取り付けられている。
【００１９】
図１において、フロントドア３には、リールユニットに備わる三つの回転リール４ａ・４ｂ・４ｃを視認させるリール表示窓５ａ・５ｂ・５ｃを有する表示窓５が設けられ、三つの回転リール４ａ・４ｂ・４ｃの表面をそれぞれリール表示窓５ａ・５ｂ・５ｃを介して観察できる。又、これらリール表示窓５ａ・５ｂ・５ｃには、５本の入賞ライン、つまり、水平方向に３本、斜め方向に２本の入賞ラインが設けられている。
【００２０】
リール表示窓５ａ・５ｂ・５ｃの下側には、台座部６が設けられており、その中央には液晶ディスプレイパネルなどの表示装置７が設けられている。表示装置７には、遊技履歴の表示及びボーナスゲームにおける画像演出などの表示が行われる。そして、表示装置７の右側には、遊技機１にメダル（コイン）を投入するためのメダル投入口８（つまり、メダル投入装置２０）が設けられている。
【００２１】
又、台座部６には、１回の押動操作により、既に投入されているメダルのうちの１枚だけを遊技の賭けの対象とするための１−ＢＥＴスイッチ９と、既に投入されているメダルのうちの２枚だけを遊技の賭けの対象とするための２−ＢＥＴスイッチ１０と、既に投入されているメダルのうち１回の遊技に可能な最大枚数のメダルを遊技の賭けの対象とするための最大ＢＥＴスイッチ１１とが設けられている。これらのＢＥＴスイッチ９、１０又は１１を押動操作すると、この押動操作されたＢＥＴスイッチに応じて入賞ラインが有効化される。
【００２２】
台座部６の前面左側には、スタートレバー１２が傾動可能に設けられている。スタートレバー１２を遊技者が傾動操作すると、三つの回転リール４ａ・４ｂ・４ｃが一斉に回転する。そして、回転リール４ａ・４ｂ・４ｃが回転すると、回転リール４ａ・４ｂ・４ｃの外周面に描かれている図柄が各リール表示窓５ａ・５ｂ・５ｃにおいて変動表示される。回転リール４ａ・４ｂ・４ｃの回転速度が一定の速度に達したときには各停止ボタン１３ａ・１３ｂ・１３ｃの遊技者による操作が有効となる。これら停止ボタン１３ａ・１３ｂ・１３ｃは、各回転リール４ａ・４ｂ・４ｃに対応している。
【００２３】
スタートレバー１２の左側には、払出スイッチ１４が設けられている。遊技者が払出スイッチ１４を押圧操作すると、クレジットされているメダルが正面下部のメダル払出口１５から払い出され、払い出されたメダルはメダル受皿１６に受け止められ、貯留される。なお、停止ボタン１３ａ・１３ｂ・１３ｃとメダル受皿１６との間において、フロントドア３には、腰部パネル１７及び一対のスピーカ１８ａ・１８ｂが配設されている。
【００２４】
前述のメダル投入口８は、後述するメダル投入装置（コイン投入装置）２０の一部であり、メダル投入装置２０はメダル投入口８からメダルが投入される。図２において、メダル投入装置２０は、台座部６を構成するパネル６ａに組み込まれており、パネル６ａの表面と略面一となるように形成された露出プレート２１を備えている。
【００２５】
図２において、露出プレート２１には、その中央部分に凹所２１ａが形成されており、ここに遊技者によって載置されたメダルを案内する案内面２２ａを有する円弧溝状のガイド部２２と、案内面２２ａに沿ってガイドされるメダルを本体内部（遊技機１の本体２の内部）に落下させるスリット状のメダル投入口８が形成されている。
【００２６】
この際、案内面２２ａは、遊技者側からメダル投入口８に向けて下降するように形成されており、メダルを多数枚、起立させて設置できる程度の長さを備えている。又、案内面２２ａの傾斜角度については、メダルが円滑に滑るように水平面に対して傾斜していればよく、その角度については特に限定されることはない。
【００２７】
なお、案内面２２ａは、多数のメダルを連続的に投下できるように、ある程度の長さを有していることが好ましい。具体的には、少なくともメダルの直径以上の長さを有していることが好ましく、更には、連続した投下動作がより円滑で容易に行なえるように、メダルの直径の２〜３倍以上の長さを有していることが好ましい。
【００２８】
又、露出プレート２１は、例えば、亜鉛（亜鉛合金）をダイカスト鋳造することで一体形成されており、見栄えを向上するために、その表面には、クロムメッキ処理が施されている。又、露出プレート２１は、パネル６ａに対して着脱可能に構成されていてもよい。
【００２９】
露出プレート２１の凹所２１ａにおいて、その背面壁２１ｂには、回転するローラ２４の外周面が露出するように、矩形の開口２１ｃが形成されている。又、凹所２１ａの手前部分には、所定枚数のメダルが載置できるように、略平坦状のメダル載置部２１ｄが形成されている。更に、凹所２１ａの右側には、メダル返却ボタン２５が設けられており、メダル返却ボタン２５を押圧操作すると、投入したメダルがメダル受皿１６に返却される（図１参照）。
【００３０】
前述の回転するローラ２４は、パネル６ａに開口２１ｃからその外周面が部分的に露出するように支持されており、ローラ２４の回転（下向きの回転）によって、メダルは、メダルの自重に応じて下向きに姿勢変化させられ、円滑にメダル投入口８内に落下する。
【００３１】
なお、ローラ２４は、例えば、ウレタンゴムによって形成され、メダルが接触した際、ローラ２４がより回転し易いように（つまり、表面に摩擦力を向上させるため）、例えば、ローレットを形成しておくことが好ましい。つまり、ローラ２４が回転し易いほど、メダルがメダル投入口８に落下する際に妨げとなる摩擦力が軽減されるようになる。
【００３２】
上述のようにして、メダル投入口８から投入されたメダルは、後述するメダルセレクタ２３に案内されて正規（真正）であるか否かが判定され、正規であると判定されたメダルは、例えば、メダル払出装置（図示せず）のホッパーに案内され、そうでないもの（非正規であると判定されたもの）は、図１に示すメダル払出口１５を介してメダル受皿１６に排出される。
【００３３】
次に、構成を説明しつつ、本発明による遊技機の作用を説明する。図２に示すメダル投入装置２０においては、パネル６ａの後面壁２６に横方向に延びる矩形のスリット開口２７が形成されており、メダル投入装置２０は、このスリット開口２７を通過可能なシャッター部材（シャッター）２８を有している。そして、後述するように、シャッター部材２８がスリット開口２７を通って、図２に二点鎖線で示すように前進すると、シャッター部材２８によって、案内面２２ａ及びメダル投入口８（メダル投入口を囲う開口）が覆われて遮蔽されることになる。一方、シャッター部材２８がスリット開口２７を通って後退すると、案内面２２ａ及びメダル投入口８が露出するように開くことができる。
【００３４】
なお、シャッター部材２８の先端は折り曲げられており（折り曲げ部２８ａが形成されており）、この折り曲げ部２８ａによってシャッター部材２８の後退位置（後退角度）が規制される。
【００３５】
図３を参照すると、前述のメダル投入装置２０にはロータリーソレノイド２９が備えられている。例えば、ロータリーソレノイド２９はパネル６ａの後面壁２６の裏側に配置されている。そして、ロータリーソレノイド２９は、ソレノイド支持板３０に固定されている。つまり、ロータリーソレノイド２９の一面側には、一対の雄ねじ２９ａ・２９ａが形成され、一対の雄ねじ２９ａ・２９ａがソレノイド支持板３０に形成された穴３０ａに挿通されて、ナット（図示せず）が雄ねじ２９ａに螺合され、ロータリーソレノイド２９がソレノイド支持板３０に固定される。
【００３６】
この際、ロータリーソレノイド２９の外周面は、ソレノイド支持板３０の載置面３０ｂに当接する。なお、ソレノイド支持板３０は、一対の取り付け穴３０ｃ・３０ｃを用いてねじ（図示せず）によってローラ２４を囲うフレームに着脱自在に固定される（図３又は図４参照）。
【００３７】
図３において、ロータリーソレノイド２９は回転軸（中心軸）２９ｂを有しており、この回転軸２９ｂはロータリーソレノイド２９の励磁又は消磁に応じて所定角度だけ回転する。回転軸２９ｂにはカップリング部材３１が装着され、カップリング部材３１はシャッター部材の一端部（後端部）に装着されている（つまり、回転軸２９ｂはシャッター部材の一方の端部に固定されていることになる）。
【００３８】
図示のように、シャッター部材２８は、Ｌ字形状であり、他端部（他方の端部：折り曲げ部２８ａ側）が後面壁２６に形成されたスリット開口２７に挿入されている。具体的には、シャッター部材２８は、回転軸２９ｂを中心として径方向に延びる腕部２８ｂと、この腕部２８ｂと一体に成形され、回転軸２９ｂを中心とする円弧状部２８ｃと、円弧状部２８ｃの一端側に位置する折り曲げ部２８ａとを有している。
【００３９】
したがって、回転軸２９ｂの回転（回動）に応じて円弧状部２８ｃは回転軸２９ｂを中心とする仮想の円周上を移動することになり、これによって、円弧状部２８ｃ、つまり、シャッター部材２８はスリット開口２７に対して進退することになる。
【００４０】
ここで、図４を参照して、いま、ロータリーソレノイド２９が消磁されている際には、腕部２８ｂは直立した状態となって、この結果、円弧状部２８ｃは仮想の円周上を移動し、スリット開口２７から前進した状態となって、折り曲げ部２８ａがメダル載置部２１ｄに当接し、案内面２２ａ及びメダル投入口８（つまり、メダル投入口８を囲む開口）を閉じることになる。
【００４１】
一方、ロータリーソレノイド２９が励磁されると、図５に示すように、回転軸２９ｂが回動して、腕部２８ｂが後面壁２６から離れる。この結果、円弧状部２８ｃは仮想の円周上を移動し、スリット開口２７を通って後退し、折り曲げ部２８ａがメダル載置部２１ｄから離れる。そして、折り曲げ部２８ａによって円弧状部２８ｃの後退が規制されて、円弧状部２８ｃは後面壁２６の裏側に引っ込み、メダル投入口８を囲む開口が開かれる。
【００４２】
ところで、上述のシャッター部材２８は、メダル投入口８に異物（例えば、不正器具）を挿入する不正行為が行われた場合、及び遊技機１が非通電時の場合に閉じられる。そして、不正行為が行われた際には、シャッター部材２８を閉じて不正行為に用いられた不正器具をシャッター部材２８で保持し、非通電の際には、シャッター部材２８を閉じてメダル投入口８から異物（この場合の異物は、例えば、塵などである）が混入することを防止する。
【００４３】
シャッター部材２８の開閉はコントローラ（図示せず）によって制御され、コントローラはメダルセレクタ２３で検出されるメダルの真正に応じてシャッター部材２８を閉じる。なお、遊技機１が非導通、つまり、電源がオフされた際には、ロータリーソレノイド２９も非導通となって、ロータリーソレノイド２９が消磁し、シャッター部材２８は閉じられることになる。
【００４４】
次に、本発明による遊技機に備わるメダルセレクタの構成及び作用を説明する。図６において、メダルセレクタ２３には、メダル通路４０が規定され、メダル通路４０にはメダル出口４１が形成されている。又、メダル通路４０には一対のエジェクタ４２ａ・４２ａが配置され、後述するように、一対のエジェクタ４２ａ・４２ａによってメダルＭは選択的にメダル出口４１に送られるか又はメダル受皿１６に送られる（図１参照）。
【００４５】
メダル通路４０において、エジェクタ４２ａの上流側には光電センサ４３が配置され、後述するように、この光電センサ４３によってメダルＭの真正であるか否かが検出されると共に、メダルＭの通過枚数がカウントされる。更に、光電センサ４３によって異物が検出される。
【００４６】
光電センサ４３は、メダル通路４０一方の側に設けられた発光部（例えば、ＬＥＤ）４３ａと、発光部４３ａと同一の側に設けられた受光部（例えば、フォトダイオード）４３ｂとを有しており、発光部４３ａから出力された光はメダルＭで反射して、受光部４３ｂに反射光として入力される。そして、受光部４３ｂは受光光量（反射光量）に応じた電圧を出力し、この電圧はＡ／Ｄ変換されてデジタル信号としてコントローラに与えられる。
【００４７】
コントローラには正規の（真正な）メダルＭにおける反射光量に応じて予め規定された閾値範囲が設定されており、デジタル信号が示す反射光量が閾値範囲内にあると、コントローラは正規のメダルＭであると判定する。一方、反射光量が閾値範囲内にないと、コントローラは非正規のメダルなどの正規のメダルＭではないと判定することになる。
【００４８】
正規のメダルＭであると判定すると、コントローラはエジェクタ４２ａを引っ込めて、メダル通路４０を開放する。これによって、メダルＭはメダル出口４１から、例えば、ホッパー（図示せず）に送られる。非正規のメダルＭであると判定すると、コントローラはエジェクタ４２ａを突出させて、メダル通路４０を実質的に閉塞する。これによって、メダルＭはメダル出口４１に達することができず、メダル通路４０から図１に示すメダル受皿１６に排出される。
【００４９】
更に、コントローラは、反射光量が閾値範囲にある際には、当該メダルＭをカウントする。つまり、正規のメダルＭがメダル通路４０を通過したことを、光電センサ４３によって検出すると、コントローラは内蔵カウンタによって正規のメダルＭをカウントすることになる。
【００５０】
ところで、コントローラには複数の信号パターン（以下波長パターンと呼ぶ）が所定の波長パターンとして設定されており、コントローラは、乱数表に基づいてランダムに複数の波長パターンのうち１つを選択する（例えば、予め規定された時間毎に複数の波長パターンから１つの波長パターンを選択波長パターンとして選択する）。そして、この選択波長パターンに応じて、コントローラは発光部４３ａを励起して、発光部４３ａからこの選択波長パターンを有する光を出力する。
【００５１】
前述したように、メダル通路４０をメダルＭが通過する際には、発光部４３ａから出力された光がメダルＭで反射して反射光として受光部４３ｂで受光されることになる。一方、メダル通路４０をメダルＭが通過していない際には、発光部４３ａから出力された光は受光部４３ｂで受光されないことになる。
【００５２】
一般に、不正行為を行う際には、いわゆる、ゴト行為を行う際には、不正器具をメダル投入口８から差し込むことになるが、この不正器具の先端には発光体が備えられている。言い換えると、不正器具に取り付けられた発光体から光電センサ４３の受光部４３ｂに光を与えて、あたかもメダルＭがメダル投入口８から投入されて、発光部４３ａから出力された光がメダルＭで反射して受光部４３ｂに受光されたかのように装うわけである。
【００５３】
このように、発光体を有する不正器具をメダル投入口８から差し込むと、光電センサ４３の受光部４３ｂに光が入射されることになって、コントローラはメダルＭが投入された誤判定することになる。ところが、前述のように、予め定められた時間毎にランダムに選択された波長パターンを有する光を発光部４３ａから出力するようにすれば、この選択波長パターン以外の光を受光部４３ｂが受けると、コントローラはメダルＭ以外のもの、つまり、不正器具などの異物がメダル投入口８から挿入されたと判定することができる。
【００５４】
そして、コントローラは異物がメダル投入口８から挿入されたと判定すると、図３〜図５で説明したロータリーソレノイド２９を消磁する。これによって、シャッター部材２８が図４で示す状態となり、メダル投入口８を囲む開口がシャッター部材２８で閉じられ、不正器具などの異物がシャッター部材２８に挟まれて保持される。
【００５５】
このようにして、不正器具などの異物がメダル投入口８から挿入されると、シャッター部材２８が閉じてメダル投入口８を囲む開口がシャッター部材２８で閉じられて、異物を挟み込んで保持するようにした結果、不正器具などの異物のメダル投入口８への挿入による証拠を保全できる。
【００５６】
更に、前述のように、遊技機１の電源がオフとされた際には、ロータリーソレノイド２９に供給される電源もオフとされる結果、ロータリーソレノイド２９が消磁して、シャッター部材２８が閉じられる。このため、遊技機１の電源がオフとされると、遊技機１の移送時において、メダル投入口８から塵や落下物などの異物が侵入することを防止できる。
【００５７】
なお、上述の例では、コントローラに複数の波長パターンを設定して、予め規定された時間毎にランダムに複数の波長パターンを選択して、この選択波長パターンに応じて発光部４３ａを励起する例について説明したが、コントローラに設定する波長パターンは１つでもよく、コントローラはこの１つの波長パターンに応じて発光部４３ａを励起するようにしてもよい。
【００５８】
又、上述の例では、スロットマシンについて説明したが、メダル投入装置２０及びメダルセレクタ２３を有する遊技機、つまり、メダルを用いて遊技を行う遊技機であれば、同様にして不正行為などを確実に防止することができる。
【図面の簡単な説明】
【００５９】
【図１】本発明による遊技機の一実施形態を示す斜視図である。
【図２】前記実施形態による遊技機に備わるダル投入装置及びメダルセレクタの斜視外観図である。
【図３】前記実施形態による遊技機に備わるダル投入装置の斜視分解組立図である。
【図４】前記実施形態による遊技機に備わるダル投入装置の縦断面図であり、シャッター部材が閉じた状態図である。
【図５】前記実施形態による遊技機に備わるダル投入装置の縦断面図であり、シャッター部材が開いた状態図である。
【図６】前記実施形態による遊技機に備わるメダルセレクタの背面図である。
【符号の説明】
【００６０】
１  遊技機
８  メダル投入口（メダル投入口を囲む開口）
２０  メダル投入装置
２２  ガイド部
２２ａ  案内面（メダル投入口を囲む開口）
２３  メダルセレクタ
２４  ローラ
２８  シャッター部材
２９  ロータリーソレノイド
２９ｂ  回転軸（中心軸）
【図１】
2008188057.tif 000003
【図２】
2008188057.tif 000004
【図３】
2008188057.tif 000005
【図４】
2008188057.tif 000006
【図５】
2008188057.tif 000007
【図６】
2008188057.tif 000008